(57)【要約】 【課題】剥離刃と起振器との接合部分が破損することがない耐用年数の長い床材剥離装置を提供する。【解決手段】油圧ショベルのアームへ左右方向の軸回りに揺動自在に取付けられるブラケット２と、ブラケット２へ垂直軸回りに回転自在に取付けられたフレーム３，４，１３と、弾性部材６を介してフレーム３、４、１３へ取付けられた垂直状板剥離刃５と、垂直板状剥離刃５を振動させる起振器７とを備えている。フレーム２，３，１３は、垂直板状剥離刃５の前後への動きを規制する上側規制部材１１，１２および下側規制部材９，１０を有している。【選択図】図４
2007023705.tif 000002
【特許請求の範囲】
【請求項１】
油圧ショベルのアームへ左右方向の軸回りに揺動自在に取付けられるブラケットと、ブラケットへ垂直軸回りに回転可能に取付けられたフレームと、弾性部材を介してフレームへ取付けられた垂直板状剥離刃と、剥離刃を振動させる起振器とを備え、
フレームが、垂直板状剥離刃の前後への動きを規制する上側規制部材および下側規制部材を有している、床材剥離装置。
【請求項２】
フレームが、ブラケットに取付けられた水平板状フレーム部材と、水平板状フレーム部材から下方に突出した垂直板状前、後フレーム部材とを備え、
垂直板状剥離刃が、前後フレーム部材間に配されている、請求項１記載の床材剥離装置。
【請求項３】
起振器が、垂直板状剥離刃の垂直面に取付けられている、請求項１または２記載の床材剥離装置。
【請求項４】
起振器が、前後方向の軸回りに回転する一つの偏心おもりを備え、剥離刃を上下左右に振動させる、請求項１〜３記載の床材剥離装置。
【発明の詳細な説明】
【技術分野】
【０００１】
本発明は、床材を剥離する床材剥離装置に関する。詳しくは油圧ショベルのアームに取付けて使用する床材剥離装置に関する。
【０００２】
なお、本明細書においては図２の左を左、右を右といい、図２の上を上、
下を下という。また、図３の右を前、左を後という。すなわち上下・前後・左右の表現は、床材剥離装置が油圧ショベルによって垂下状に支持された状態を基準とする。
【背景技術】
【０００３】
なお、本明細書において床材とは水平面にあるものだけでなく、壁面および天井の表面にあるものを含み、ビニルシート、タイル、木質材など、種々の材質を含むものとする。さらに、床材とは、道路の表面に塗布された塗料やセメント、樹脂、泥土などの付着物も含むものとする。
【０００４】
従来の床材剥離装置として、図５に示すものがある。この床材剥離装置は、油圧ショベルのアーム先端に左右方向の軸周りに揺動自在に取付けられるブラケット３１と、ブラケット３１に垂直軸周りに回動自在に取付けられたフレーム３２と、フレーム３２に弾性部材３３を介して取付けられた起振器３４と、起振器３４の下面にボルト止めされて起振器３４により振動させられる剥離刃３５と、フレーム３２に取付けられて剥離刃３５の前後の動きを規制する一対の規制部材３６とを備えている(特許文献１参照)。
【０００５】
この床材剥離装置では、起振器を駆動して剥離刃を振動させつつ油圧ショベルのアームおよびブームを操作して床材剥離装置を移動させてあるいは床材剥離装置を床面に押しつけた状態で油圧ショベルを走行させて床材を剥離する。
【特許文献１】特開2004-156371号公報
【発明の開示】
【発明が解決しようとする課題】
【０００６】
上記従来の床材剥離装置では、剥離刃３５は、一対の規制部材３６により前後方向の動きが規制されているが、規制が十分でなく、剥離刃３５と起振器３４との接合部分に大きな力がかかり振動と押し付けによって剥離刃３５と起振器３４との接合部分が破損することがあるという問題があった。
【０００７】
本発明は、上記問題を解決することを課題とし、剥離刃と起振器との接合部分の破損の生じることのない耐久性のある床材剥離装置を提供することを目的とする。
【課題を解決するための手段】
【０００８】
上記課題を解決するために、本発明の床材剥離装置は、油圧ショベルのアームへ左右方向の軸回りに揺動自在に取付けられるブラケットと、ブラケットへ垂直軸回りに回転自在に取付けられたフレームと、弾性部材を介してフレームへ取付けられた垂直板状剥離刃と、剥離刃を振動させる起振器とを備え、
フレームが、垂直板状剥離刃の前後への動きを規制する上側規制部材および下側規制部材を有している、ものである。
【０００９】
上記床材剥離装置において、起振器が、垂直板状剥離刃の垂直面に取付けられている、ことが好ましい。
【００１０】
さらに、フレームが、ブラケットに取付けられた水平板状フレーム部材と、水平板状フレーム部材から下方に突出した垂直板状前、後フレーム部材とを備え、垂直板状剥離刃が、前後フレーム部材間に配されている、とよい。
【００１１】
また、起振器が、水平軸回りに回転する一つの偏心おもりを備え、剥離刃を上下左右に振動させる、とよい。
【発明の効果】
【００１２】
請求項１記載の床材剥離装置によれば、剥離刃の前後への動きが少なくとも上下２箇所で規制されているので、剥離刃の動きが有効に規制され、剥離刃と起振器との接合部分やフレームの破損が防止される。
【００１３】
請求項２記載の床材剥離装置によれば、起振器が剥離刃自体の垂直面に取付けられているので、剥離刃と起振器との接合部分の破損がさらに防止される。
【００１４】
請求項３記載の床材剥離装置によれば、規制部材の配置が容易になって床材剥離装置の構成が単純化されて安価となるとともに組み立ても容易になる。
【００１５】
請求項４記載の床材剥離装置によれば、剥離刃が上下左右に振動するので剥離刃が床材に食い込んで動かなくなるのを防止できる。
【発明を実施するための最良の形態】
【００１６】
以下、図１〜図５を参照して本発明の床材剥離装置の一実施形態について説明する。
【００１７】
床材剥離装置１は、油圧ショベル２０のアームに左右方向の軸周りに回転自在に取付けられたブラケット２と、ブラケット２に対して垂直軸周りに揺動自在に取付けられた水平板状フレーム部材１３とを備えている。
水平板状フレーム部材１３には、下方突出状に垂直板状前フレーム部材３が固着されている。そして、前フレーム部材３には、弾性部材６を介して剥離刃５が取り付けられている。剥離刃５の後方には垂直板状後フレーム部材４がフレーム部材１３に取り付けられている。前フレーム部材３と後フレーム部材４とは下方で連結部材により連結されている。また、剥離刃５には、剥離刃５を振動させる起振器７が取り付けられている。
【００１８】
ブラケット２と水平板状フレーム部材１３とは以下のようにして接続されている。ブラケット２は水平円板状部を有し、この部分の中央に貫通孔２ａがあけられている。一方、水平板状フレーム部材１３の中央にも貫通孔１３ａがあけられている。これら貫通孔２ａ、１３ａにロータリージョイント１５が挿入され、ブラケット２に対して水平板状フレーム部材１３が垂直軸回りに回転自在に装着されている。さらに、水平板状フレーム部材１３の貫通孔１３ａ上側には円弧状孔１３ｂがあけられている。一方、ブラケット２には、突部２ｂが形成され、この突部２ｂが、円弧状孔１３ｂに嵌め入れられてブラケット２に対する水平板状フレーム部材１３の回転角度が規制されている。
【００１９】
また、水平板状フレーム部材１３の後部には後フレーム部材４の上部を取付けるための下方突部１３ｃが設けられている。さらに、水平板状フレーム部材１３には、垂直板状前フレーム部材３が下方突出状に固着されている。前フレーム部材３は、略Ｕ字状をなし、上部両側と下端部とにそれぞれ、剥離刃５の前方へ動くのを規制する水平円柱状規制部材１２、１０が取付けられている。また、上部両側の規制部材１２の下方には剥離刃５を前フレーム部材３に取付ける弾性部材６が取付けられている。さらに弾性部材６の下方には、後フレーム部材４の下方両側を前フレーム部材３に一定の間隔を設けて固定する水平円柱状部材８が取付けられている。
【００２０】
弾性部材６は、前後の金属製（垂直）板状部６ａと両板状部６ａに挟まれたゴム製円柱状弾性部６ｂとからなっている。そして、前の（垂直）板状部６ａが前フレーム部材３に、後の（垂直）板状部６ａが剥離刃５にボルト止めされる。
【００２１】
後フレーム部材４は、上部が水平板状フレーム部材１３の突部１３ｃに、
下方両側が、前フレーム部材３の円柱状部材８に、それぞれボルト止めされる。また、後フレーム部材４の、前フレーム部材３の円柱状規制部材１２、１０に対応する位置には、剥離刃５の後方向への動きを規制する水平円柱状規制部材１１、９がそれぞれ設けられている。これらの規制部材１２、１０、１１、１９が剥離刃５の上端位置と中間位置に当接することにより、剥離刃の前後方向の動きを規制する。
【００２２】
剥離刃５は、弾性部材６に取付けられた垂直板状取付部５ａと、取付部５ａにボルト止めされた刃本体５ｂとを備えている。刃本体５ｂは、取付部５ａに取付けられた刃支持部５ｃと、刃支持部５ｃの下端に、押え板１４を介してボルト止めされた刃体５ｄとを備えている。刃体５ｄは、剥離する床材の種類などに応じて交換可能である。なお、図では取付部５ａと刃本体５ｂとをボルト止めにて一体化しているが、強度の面からは両者を一つの部品として製作するのが望ましい。
【００２３】
起振器７は以下のようにして構成されている。垂直板状取付部５ａの前面中央には、前方開口箱状部５ｅが設けられている。箱状部５ｅは前フレーム部材３から前方に突出し、突出した前端に油圧モータ７ａが取付けられている。また、箱状部５ｅ内には偏心おもり７ｂが前後方向の軸周りに回転自在に設けられている。偏心おもり７ｂは、油圧モータ７ａの図示しない駆動軸によって回転駆動されるようになっており、偏心おもり７ｂが回転することにより剥離刃５が上下左右に振動する。
一般に油圧ショベルは、複合動作させることが多いので、床材剥離装置のアタッチメントの作動用圧油は、走行回路から取ることが多い。油圧ショベルを走行させずに、一定の位置で作業するときはアタッチメントへ走行用圧油を全量送ることが出来るが、走行しながらアタッチメントを動かす場合には両者に圧油を分配供給する必要がある。
このため、油圧モータ７ａと油圧ポンプとを結ぶ圧油路中には図示しない分配バルブが設けられている。この分配バルブにより、床材剥離装置１を駆動する際は、適量の圧油が床材剥離装置１の油圧モータ７ａに送られ、残りの圧油が油圧ショベルの走行用へ送られるようになっている。
【００２４】
上記の構成を有する床材剥離装置１は、以下のようにして容易に組み立てられる。水平板状フレーム部材１３に固定されている前フレーム部材３の孔から油圧モータ７ａが突出するように剥離刃５を位置させる。一方が前フレーム部材３に固定された弾性部材６の他方側を剥離刃５と結合させる。後フレーム部材４の上部を水平板状フレーム部材１３の下方突部１３ｃにネジ止めし、下部を前フレーム部材３の下部に結合する。
【００２５】
上記の構成を有する床材剥離装置１は、以下のように用いられる。まず、油圧ショベル２０のアームおよびブームを操作して、剥離刃５が床と45°以下の角度をなすように床材剥離装置１の傾きを調整する。傾き調整終了後、図１に示すように剥離刃５先端を床Ｆの表面に押し付け、起振器７を駆動して剥離刃５を上下左右に振動させる。そして、剥離装置を床に押しつけながら油圧ショベル２０を移動させる。この方が剥離装置１の床に対する傾きを一定に保ちやすく、走行による押し方向の力が働くからである。床材剥離装置１を、前後の向きを変えて取りつけた場合は、走行による引き方向の力が働くことになる。
【００２６】
作業場所が狭く、油圧ショベル２０を移動させることができない場合は、
油圧ショベル２０を移動させること無く、アームおよびブームを操作して床Ｆに対する床材剥離装置１の傾きを保ったまま床材を剥離することが出来る。この場合、床材剥離装置１の前後の向きを入れ替えて油圧ショベル２０に取り付け、図５に示すように、床材剥離装置１を手前方向に移動させて床材を剥離する方が、作業がしやすい。床材を剥離する際の剥離刃５の前後への動きは、上側規制部材１１、１２および下側規制部材９、１０により有効に防止される。なお、剥離作業時の床Ｆと剥離刃５との接触部分は、手前側となり、油圧ショベル２０の操作者から作業状態や作業位置が容易に確認できる。
【００２７】
天井や壁の床材を剥離する際は、油圧ショベル２０のアームおよびブームを操作して床材剥離装置１が天井や壁と適当な位置や傾きをなすように調整し、上記と同様にして床材を剥離する。なお、剥離装置１は、作業の現場や内容に応じてアームとの取り付け方向を逆にして使用することもある。
【００２８】
以上、本発明の床材剥離装置の一実施形態について説明したが、本発明の床材剥離装置は上記実施形態のものには限られず、各部構成は適宜変更自在である。例えば、起振器は前後方向の軸回りに回転する一対の偏心おもりを有し、偏心おもりの左右方向の振動がうち消されて剥離刃を上下方向にのみ振動させるものであってもよい。また、下側の規制部材が左右に並んで二つ設けられていてもよい。
【図面の簡単な説明】
【００２９】
【図１】本発明の一実施形態の床材剥離装置を油圧ショベルに取付けた状態の側面図である。
【図２】同床材剥離装置の正面図である。
【図３】同床材剥離装置の左側面図である。
【図４】同床材剥離装置の要部の分解斜視図である。
【図５】同床材剥離装置を図１と異なる様態で油圧ショベルに取付けた状態の側面図である。
【図６】従来の床材剥離装置の正面図である。
【符号の説明】
【００３０】
１      床材剥離装置
２      ブラケット
２ａ    貫通孔
２ｂ    突部
３      前フレーム部材
４      後フレーム部材
５      剥離刃
５ａ    取付部
５ｂ    刃本体
５ｃ    箱状部
６      弾性部材
６ａ    板状部
６ｂ    弾性部材
７      起振器
７ａ    油圧モータ
７ｂ    偏心おもり
８      円柱状部材
９      規制部材
１０    規制部材
１１    規制部材
１２    規制部材
１３    水平板状フレーム部材
１３ａ  貫通孔
１３ｂ  円弧状孔
１３ｃ  下方突部
１４    押え板
２０    油圧ショベル
【図１】
2007023705.tif 000003
【図２】
2007023705.tif 000004
【図３】
2007023705.tif 000005
【図５】
2007023705.tif 000006
【図６】
2007023705.tif 000007
【図４】
2007023705.tif 000008